(57)【要約】【課題】  ディスプレイ本来の表示性能を制限することなく、設置環境の変化に対応してその存在を目立たなくすることができる表示装置を提供する。【解決手段】  表示装置が、画面のみが露出するように設置したディスプレイ１と、画面の周囲の景観から考慮して当該画面部分に位置するであろう景観部の画像データを保持する画像データ保持部２２と、画像データ保持部２２から景観部の画像データを読み出して、画面の周囲の景観に対してディスプレイ画面の表示を制御する制御装置２とを備える。【選択図】        図３
2006189708.tif 000002
【特許請求の範囲】
【請求項１】
画面のみが露出するように設置したディスプレイと、
前記画面の周囲の景観から考慮して当該画面部分に位置するであろう景観部の画像データを保持する画像データ保持手段と、
前記画像データ保持手段から景観部の画像データを読み出して、前記画面の周囲の景観に対して前記ディスプレイ画面の表示を制御する制御手段と
を備えた表示装置。
【請求項２】
ディスプレイ画面に対する光の入射方向および光量を測定する測定手段を備え、
制御手段は、前記測定手段が測定した光の入射方向および光量を用いて、測定時の環境に合うように景観部の画像データを補正することを特徴とする請求項１記載の表示装置。
【請求項３】
画像データ保持手段は、測定手段が測定した光の入射方向および光量に関連づけた景観部の画像データを保持し、
制御手段は、前記測定手段による測定結果に基づいて、前記画像データ保持手段から対応する景観部の画像データを抽出することを特徴とする請求項２記載の表示装置。
【請求項４】
ディスプレイ画面の周囲の景観を撮像したキャプチャ画像を取得する撮像手段を備え、
制御手段は、前記撮像手段が取得したキャプチャ画像を画像解析してそのテクスチャを抽出し、当該テクスチャを用いて前記画面の周囲の景観から考慮して当該画面部分に位置するであろう景観部を模擬した画像データを生成し、前記景観部の画像データとして前記ディスプレイ画面に表示することを特徴とする請求項１記載の表示装置。
【請求項５】
ディスプレイ画面の性能および仕様に関する情報を抽出する情報抽出手段を備え、
制御手段は、前記情報抽出手段が抽出した情報に基づいて前記ディスプレイ画面のドット数を特定すると共に、撮像手段が撮像する画像が当該前記ディスプレイ画面のドット数に合わせて等倍になるようにその撮像動作を制御することを特徴とする請求項４記載の表示装置。
【請求項６】
設置壁の両面に２つのディスプレイを対向して画面のみが露出するようにそれぞれ設置したディスプレイ対と、
前記ディスプレイ対の各ディスプレイ画面の観者方向の景観部をリアルタイムに撮像する撮像手段と、
前記撮像手段が撮像する景観部の画像データが、撮像したディスプレイとは反対側に位置するディスプレイ画面に表示されるように制御する制御手段と
を備えた表示装置。
【請求項７】
制御手段は、景観部の画像データに他の映像を合成し、ディスプレイ画面に重ねて表示するように制御することを特徴とする請求項１または請求項６記載の表示装置。
【発明の詳細な説明】
【技術分野】
【０００１】
この発明は、使用時にはディスプレイを介して必要な視覚情報を提供し、不使用時にはディスプレイが存在しないように見せかける表示装置に関するものである。
【背景技術】
【０００２】
従来の表示装置は、例えば特許文献１に開示される。ここに開示される表示装置は、カーステレオ、もしくはカーエアコン、ナビゲーション装置などのインフォメーション表示部を、車内空間の統一されたデザインの中でなるべく悪影響を及ぼさないようにする目的で、表示部を周囲と同一の色、模様にして目立たなくするものである。方策としては、周囲と同一の色、模様を印刷したスクリーンシートで表示部を覆うようにしている。このスクリーンシートには小さな穴が多数開いており、表示が行われた場合は、視聴者はシートを透かして映像を見ることができる。
【０００３】
このように、表示装置にその存在を隠すことができる機能を付加することで、表現力を高め、目立つ効果を高める技術を発明した。この技術では、制御装置によって表示装置を隠す／隠さないをコントロールすることが常に可能である。また、この技術には表示装置の存在がその設置場所の空間デザインに及ぼす悪影響を最小限に抑える目的もある。
【０００４】
【特許文献１】特開２００１−３３１１３２号公報
【発明の開示】
【発明が解決しようとする課題】
【０００５】
従来の表示装置は上記のように構成されており、ディスプレイの前面にスクリーンを張るため、ディスプレイ本来の表示性能が表示時／非表示時にかかわらず常に制限を受け、輝度、明度が減少してしまうという課題があった。また、多数の微細孔を有するスクリーンに印刷できる画像は１種類のみであるため、設置環境の微細な変化などに動的に対応することができないという課題があった。
【０００６】
この発明は、上記のような課題を解決するためになされたものであり、ディスプレイ本来の表示性能を制限することなく、設置環境の変化に対応してその存在を目立たなくすることができる表示装置を提供することを目的とする。
【課題を解決するための手段】
【０００７】
この発明に係る表示装置は、画面のみが露出するように設置したディスプレイと、画面の周囲の景観から考慮して当該画面部分に位置するであろう景観部の画像データを保持する画像データ保持手段と、画像データ保持手段から景観部の画像データを読み出して、画面の周囲の景観に対してディスプレイ画面の表示を制御する制御手段とを備えたものである。
【発明の効果】
【０００８】
この発明によれば、表示装置が、画面のみが露出するように設置したディスプレイと、画面の周囲の景観から考慮して当該画面部分に位置するであろう景観部の画像データを保持する画像データ保持手段と、画像データ保持手段から景観部の画像データを読み出して、画面の周囲の景観に対してディスプレイ画面の表示を制御する制御手段とを備えるように構成したので、ディスプレイ本来の表示性能を制限することなく、設置環境の変化に対応してその存在を目立たなくすることができる表示装置を提供することができる効果が得られる。
【発明を実施するための最良の形態】
【０００９】
実施の形態１．
図１は、この発明の実施の形態１による表示装置の構成を示す図である。図に示すように、表示装置は、ディスプレイ１、制御装置（制御手段）２を備える。ディスプレイ１は、画面のみが露出するように設置場所の壁３に取り付けられた状態で使用され、制御装置２によって制御される。
【００１０】
通常、設置場所の壁３に取り付けられたディスプレイ１は制御装置２によって制御されて動画・静止画などのコンテンツを表示する。ディスプレイ１がコンテンツを表示しない、もしくは電源を切ってブラックアウトした場合は、設置場所の空間デザインに及ぼす悪影響が非常に大きいという問題がある。
【００１１】
そこで、この発明では、設置環境の景観に同化させることが可能な表示装置について説明する。制御装置２は、設置場所の壁３を模擬した違和感のない画像データ、すなわちディスプレイ１の周囲の景観から考慮してこの画面部分に位置するであろう景観部の画像データを保持する。さらに、この景観部の画像データを読み出してディスプレイ１に表示する。制御装置２は、画面周囲の景観に対してディスプレイ１に表示した景観部がマッチするように制御する。ディスプレイ１は、制御装置２から受け取った画像データを隙間なく表示することにより、視覚的に自身を設置環境と同化させる。
【００１２】
その結果、設置場所の空間デザインに合致した存在とすることができ、ディスプレイ本来の表示性能を制限することなく、ディスプレイ１があること、すなわち表示装置の存在をわからなくすることができるので、設置場所の空間デザインに及ぼす悪影響を最小限に抑えることができるという効果が得られる。
【００１３】
実施の形態２．
図２はこの発明の実施の形態２による表示装置の構成を示す図である。図に示すように、表示装置は、ディスプレイ１、制御装置２、照度計（測定手段）４、入射角測定機構（測定手段）５を備える。ディスプレイ１は画面のみが露出するように設置場所の壁３に取り付けられた状態で使用される。照度計４は、光に照らされた面の明るさを測定する機器であり、設置場所の壁３の光量を測定可能な位置に取り付けられる。入射角測定機構５は、光の入射角（入射方向）を測定する機器であり、設置場所の壁３の光の入射角を測定可能な位置に取り付けられる。照度計４、入射角測定機構５はそれぞれ制御装置２によって制御される。
【００１４】
図３は制御装置２のブロック図である。図に示すように、制御装置２は、環境データ取得部２１、画像データ保持部（画像データ保持手段）２２、画像データ補正部２３を備える。環境データ取得部２１は、照度計４により取得された設置場所の壁３の光量と、入射角測定機構５により取得された設置場所の壁３への光の入射角データとを取り込む。
【００１５】
画像データ保持部２２は、ハードディスクなどの記憶装置で構成され、設置場所の壁３を模擬した違和感のない画像データ、すなわちディスプレイ１の周囲の景観から考慮してこの画面部分に位置するであろう景観部の画像データを保持する。環境データ取得部２１は、上記光量および入射角を取り込み、画像データ保持部２２から画像データを読み出して、画像データ補正部２３に渡す。画像データ補正部２３は、取得した光量および入射角を用いて、測定時の設置場所の壁３に当たる光の明るさと方向に合わせて画像データを色調補正する。この補正後の画像データをディスプレイ１に表示する。
【００１６】
このとき、壁の汚れ具合、風化を模倣するための画像フィルターを制御装置２に予め設けてもよい。例えば、壁の汚れは現場の清掃タイミングに合わせて変化するので、日時カレンダーに対応して画像フィルターを切り替えるようにする。すなわち、月初めに清掃を行う場合、画像フィルターを汚れ度合い０％として制御装置２に設定し、以降１日の汚れ度合いを数％ずつ段階的に変化させるようにしてもよい。画像データ補正部２３は、この画像フィルターに合わせて画像データの補正を行う。
【００１７】
以上のように、この実施の形態２では、制御装置２が、設置場所の壁３を模擬した画像データを保持し、現在の設置場所の壁３に当たる光量と光の入射方向に合わせて画像データを色調補正するようにしたので、ディスプレイ１の設置場所の空間デザインに及ぼす悪影響をより抑えることができるという効果が得られる。
【００１８】
実施の形態３．
図４、図５は、この発明の実施の形態３による表示装置の動作について説明する図である。図４において、図２と共通する要素には同一符号を付し、その説明を省略する。制御装置２は、図３の構成と同様とする。図４は、エンボス加工のある壁にディスプレイ１を取り付けたことを示す。このとき、光源６は設置場所の壁３の左上方にあり、壁３のエンボスの影が右下に現れるとする。
【００１９】
制御装置２の画像データ保持部２２は、設置場所の壁３を模擬した画像を表現可能な三次元のＣＧ（Computer Graphics)データを記憶する。環境データ取得部２１は、例えばスリット＆フォトダイオードによる方向センサー等を備え、照度計４および入射角測定機構５からの光量および光の入射角を数値化して、光の方向、光量に関する情報を抽出する。また、画像データ保持部２２は、光の方向、光量に関連付けた画像データを複数用意し、各値に対応するファイル名を付けて保存してもよい。また、暦と時刻に合わせた画像データを複数用意して、各値に対応するファイル名を付けて保存してもよい。画像データ保持部２２は、これらのファイル名を記載したテーブルも保持する。
【００２０】
次に図５を参照して制御装置２の動作について説明する。
照度計４および入射角測定機構５は、制御装置２からの指示に応答して設置場所の壁３の光量および設置場所の壁３への光の入射角をそれぞれ取得する。環境データ取得部２１は、照度計４が取得した光量と、入射角測定機構５が取得した光の入射角を取り込み、数値化して光の方向、照度に関する情報を抽出して、画像データ補正部２３に供給する（ステップＳＴ１０１）。環境データ取得部２１はまた、抽出した光の方向、光量に関する情報に近似するファイル名の画像データを、画像データ保持部２２が有するファイルのテーブルを参照して選択する（ステップＳＴ１０２）。あるいは、環境データ取得部２１は、現在の暦と時刻に近似するファイル名の画像データを選択してもよい（ステップＳＴ１０３）。
【００２１】
続いて、環境データ取得部２１は選択した画像データと抽出した光の方向、光量に関する情報とを画像データ補正部２３に渡す。画像データ補正部２３は、光の方向、光量から光源を特定し、光の方向、光量に合わせて画像データを補正する。画像データが、例えば三次元のＣＧデータである場合は、現在の光の方向と光量に合わせて編集、すなわち光源の強さと位置を変更して、ディスプレイ１に出力する（ステップＳＴ１０５）。画像データが２次元カラー画像の場合は、彩度、照度に合わせて色調補正、すなわちＲＧＢ値、またはＣＭＹＫ値をフィルタプログラム等で編集してディスプレイ１に出力する（ステップＳＴ１０４）。ディスプレイ１は、出力された現在の設置場所の壁３を模擬した画像データを隙間なく表示して、自身を視覚的に設置環境と同化させる。
【００２２】
以上のように、この実施の形態３によれば、画像データ保持部２２が設置場所の壁３を模擬した複数の画像データを保持し、画像データ補正部２３が照度計４および入射角測定機構５からの光の方向、光量に合わせて画像データを補正して、ディスプレイ１に表示するようにしたので、環境の微細な変化に対応した画像データを表示でき、設置場所の空間デザインに及ぼす悪影響をより抑えることができる効果が得られる。
【００２３】
実施の形態４．
図６はこの発明の実施の形態４による表示装置の構成を示す図である。図に示すように、この表示装置は、撮像カメラ（撮像手段）７、電動雲台８を備え、図２と共通する要素には同一符号を付し、その説明を省略する。この実施の形態４では、ディスプレイ１のドット数に合わせて等倍の画素１対１の画像データを作成し、ディスプレイ１に表示することを説明する。
【００２４】
撮像カメラ７は、設置場所の壁３およびディスプレイ１を撮影可能な位置に電動雲台８と共に取り付けられ、制御装置２の制御によりディスプレイ１の周囲の景観を撮像したキャプチャ画像を取得する。図７は制御装置２の構成を示すブロック図である。図に示すように、制御装置２は、キャリブレーション画像保持部２４、キャリブレーション画像選択部２５、撮像データ取り込み部２６、マッチング部２７を備える。
【００２５】
キャリブレーション画像保持部２４は、カメラの撮像範囲を設定するためにディスプレイ表示するキャリブレーション画像を保持する。例えば、設置場所の壁３を模擬した画像データを、標準的なディスプレイ装置に合わせたＶＧＡ（Video Graphics Array）、ＸＧＡ（eXtended Graphics Array)、ＳＸＧＡ（Super eXtended Graphics Array）等の解像度で保持する。キャリブレーション画像選択部２５は、ディスプレイ１の性能および仕様に関する情報、例えばドットピッチ、ドット数、ディスプレイ外枠のサイズ等を抽出する情報抽出手段を備え、その情報に基づいてキャリブレーション画像を読み出す。
【００２６】
図８はこの実施の形態３による表示装置の動作を示すフローチャートである。この図を参照して表示装置の動作について説明する。
キャリブレーション画像選択部２５は、ディスプレイ１の性能および仕様に関する情報を抽出して、ディスプレイ１の縦、横の表示ドット数を特定する（ステップＳＴ２０１）。続いて、特定した表示ドット数に合わせて、例えば１０２４×７６８dot のキャリブレーション用画像をキャリブレーション画像保持部２４から選択して、ディスプレイ１に表示させる（ステップＳＴ２０２）。
【００２７】
撮像データ取り込み部２６は、撮像カメラ７、電動雲台８を制御して、リアルタイムに所望する場所の画像データを取り込む。すなわち、ディスプレイ１の周囲の景観の撮像データをキャプチャー機能により取り込む（ステップＳＴ２０３）。キャプチャー解像度は、ディスプレイ１の表示解像度に最も近く、かつ表示解像度以上の値を採用する。まず、撮像カメラ７のズーム機構を一番広角側にコントロールして画像をキャプチャーさせ、そのキャプチャー画像をマッチング部２７に渡す。マッチング部２７は、キャプチャー画像を受け取ると、ディスプレイ１に表示したキャリブレーション画像のパターンとのマッチングを行う（ステップＳＴ２０４）。
【００２８】
マッチング部２７は、キャプチャー画像の中にキャリブレーション画像のパターンが見つからない場合は、電動雲台８をコントロールして同心円状に画角を変更しながらキャリブレーション画像のパターンを探す。キャリブレーション画像のパターンが見つかった場合は、キャプチャー画像の１画素の範囲をディスプレイ１の１画素の表示サイズと等しくするため、すなわちキャプチャー画像がディスプレイ１のドット数と等しいデータ密度でキャプチャーされるように、ディスプレイ１の表示中心とキャプチャー画像の中心を合わせ（ステップＳＴ２０５）、その後撮像カメラ７のズーム機能を調整する（ステップＳＴ２０６）。
【００２９】
ズーム機能の調整終了後、マッチング部２７は電動雲台８により撮像カメラ７の方向を変えてディスプレイ１の設置場所の周囲の壁を１対１等倍画素でキャプチャーし、それを壁にとけ込む映像としてディスプレイ１に表示する。マッチング部２７は、このときの電動雲台８の座標値と、ディスプレイ１の１ドットに対応する電動雲台８の移動値を記憶しておく。この移動値は、撮像カメラ７によるキャプチャー範囲がディスプレイ１の表示範囲より狭い場合は複数回のキャプチャーを行うので、実際の大きさに合わせて撮像範囲をスライドさせるために必要となる。また、例えばビル壁面のように巨視的に見てディスプレイ１に何を表示したら全体のパターンを崩さないか、という判断のために撮像範囲をスライドさせていく場合にもこの値を使用する。
【００３０】
以上のように、この実施の形態４によれば、ディスプレイ１の性能に応じたキャリブレーション画像をディスプレイ１に表示し、このデータ密度に等しい設置場所の壁３の画像をキャプチャーして表示するようにしたので、ディスプレイ１の性能に最もマッチした画像を表示でき、ディスプレイ１の存在をわからなくすることができるので、設置場所の空間デザインに及ぼす悪影響を最小限に抑えることができる効果が得られる。
【００３１】
実施の形態５．
図９はこの発明の実施の形態５による表示装置の設置例を示す図である。図において、図６と共有する要素には同一符号を付し、その説明を省略する。この実施の形態５では、設置場所の壁３にディスプレイ１を取り付けることでディスプレイ１によって隠れてしまう部分（景観部）の画像を予測して作成し、ディスプレイ１に表示することを説明する。ここでは、設置場所の壁３はある規則に従う連続模様を有するとする。
【００３２】
図１０はこの実施の形態５に係る制御装置２の構成を示すブロック図である。図に示すように、制御装置２は、撮像データ取り込み部２６、テクスチャー抽出部２８、画像作成部２９を備える。撮像データ取り込み部２６は、撮像カメラ７によりキャプチャーされた画像を取り込む。テクスチャー抽出部２８は、キャプチャー画像を画像解析して、ＦＦＴ（高速フーリエ変換：Fast Fourier Transform）、ウェーブレット変換による空間周波数成分の評価、エッジ評価等を行う手段を備え、これによりテクスチャー（ある規則によって配列された繰り返しパターンであって、連続性があり境界がつながるパターン）の抽出を行う。画像作成部２９は、抽出されたテクスチャーを用いてディスプレイ１の周囲の景観から考慮して画面部分に位置するであろう景観部を模擬した画像データを作成する。
【００３３】
図１１はこの表示装置の動作を示すフローチャートである。この図を参照して表示装置の動作について説明する。
撮像データ取り込み部２６は、撮像カメラ７を制御してディスプレイ１と同じサイズで、ディスプレイ１を中心とする設置場所の上下左右８枚、または２４枚、または４８枚の画像をキャプチャーさせる（ステップＳＴ３０１）。ここではまず上下左右８枚の画像をキャプチャーさせる。撮像データ取り込み部２６はキャプチャーされた画像を取り込む。続いて、テクスチャー抽出部２８は撮像データ取り込み部２６により取り込まれたキャプチャー画像から、ＦＦＴ、ウェーブレット変換による空間周波数成分の評価、エッジ評価等によりテクスチャーの抽出を行う（ステップＳＴ３０２）。
【００３４】
テクスチャー抽出部２８は、テクスチャーの抽出がうまくできない場合は（ステップＳＴ３０３）、さらに周りの、ディスプレイ１を中心とする設置場所の上下左右２４枚のキャプチャーを行うよう撮像カメラ７に指示し、再度キャプチャー画像からテクスチャーの抽出を行う（ステップＳＴ３０４）。
【００３５】
テクスチャーが抽出された場合、画像作成部２９は抽出されたテクスチャーによってディスプレイ１により隠されている設置場所の壁３の画像を予測し、壁全体の中の連続したパターンの中にディスプレイ１全体を埋め込むような画像データを作成し、ディスプレイ１に出力する。ディスプレイ１は受け取った画像データを表示する。これにより、ディスプレイ１を設置環境の景観に同化させることができる。
【００３６】
なお、多数のキャプチャー画像ではなく、十分な解像度を持った、表示装置を中心とする設置場所の画像を１枚キャプチャーして、このデータからテクスチャーの抽出を行ってもよい。また、作成された画像データをディスプレイ１に表示して、同じ処理を繰り返すことでテクスチャー抽出の確認ができ、結果をフィードバックしながらより自然なテクスチャーを抽出することができる。
【００３７】
以上のように、この実施の形態５によれば、テクスチャー抽出部２８がキャプチャー画像からテクスチャーを抽出し、画像作成部２９が抽出されたテクスチャーからディスプレイ１により隠されている設置場所の壁の画像を予測して、壁全体の中の連続したパターンの中にディスプレイ全体を埋め込むような画像データを作成し、この画像データを表示するようにしたので、表示装置を設置環境の景観に同化させることができる効果が得られる。
【００３８】
実施の形態６．
図１２はこの発明の実施の形態６による表示装置の設置例を示す図である。図において、図６と共有する要素には同一符号を付し、その説明を省略する。この実施の形態６では、通行路に存在する設置壁３の両面に２つのディスプレイを対向して画面のみが露出するようにそれぞれ取り付けた場合について説明する。
【００３９】
表示装置は、同時に２つの画像データの取り込みが可能な撮像カメラ９を備える。撮像カメラ９は、ディスプレイ１が取り付けられた壁３の上方に設置され、撮像カメラ９Ａは壁３のＡ面側の景観を、９Ｂは壁３のＢ面側の景観をそれぞれ撮影する。ここでは、観者ａ，ｂ，ｃ，ｄが存在するとする。
【００４０】
図１３は制御装置２の構成を示すブロック図である。図に示すように、制御装置２は、撮像データ取り込み部２６、位置特定部３０、画像作成部２９を備える。撮像データ取り込み部２６は、撮像カメラ９からキャプチャー画像をリアルタイムに取り込む。位置特定部３０は取り込まれたキャプチャー画像から、ディスプレイ１の観者の位置を特定する。画像作成部２９は、特定された観者の位置に基づいて、ディスプレイ１で表示する画像データを作成する。
【００４１】
図１４はこの実施の形態６による表示装置の設置例を具体的に説明する図である。ディスプレイ１は設置場所の壁３の両面に２つのディスプレイを対向して取り付けられたディスプレイ対として使用される。各ディスプレイは多視点に対応する多段スクリーン表示装置とする。これは、例えば表面に設けられた微細なスリットにより、それぞれの方向に対応した別々の表示を行うことができるものである。
【００４２】
例えば、Ａ面側からディスプレイ1を見る場合について説明する。
撮像データ取り込み部２６は撮像カメラ９Ａ，９Ｂによりキャプチャーされた画像を取り込む。位置特定部３０は取り込まれたキャプチャー画像から、ディスプレイ１の観者の位置を特定する。図１４に示す位置に、それぞれ観者ａ，ｂ、歩行者ｃ，ｄがいるとする。位置特定部３０はまず撮像カメラ９Ａのキャプチャー画像から、観者ａの位置を特定する。
【００４３】
この特定された観者ａの位置からディスプレイ１を介して見えるＢ面側の景観、すなわち歩行者ｄ方向の景観部は、撮像カメラ９Ｂによって取り込まれている。そこで画像作成部２９は、撮像カメラ９Ｂによって取り込まれた画像のうち、観者ａがディスプレイ１を介してＢ面側に見ることができる景観の画像をディスプレイ１に出力する。図１４では、観者ａの位置からは歩行者ｃは見えず歩行者ｄ周辺のみが見えるため、歩行者ｄ周辺のキャプチャー画像をディスプレイ１に出力する。ディスプレイ１は、取得したキャプチャー画像を動画像として等倍で隙間なく表示する。歩行者ｄは動画像ｄ’としてディスプレイ１に表示される。
【００４４】
これと同時に、位置特定部３０は、撮像カメラ９Ａのキャプチャー画像から、観者ｂの位置を特定する。この特定された観者ｂの位置からディスプレイ１を介して見えるＢ面側の景観、すなわち歩行者ｃ方向の景観部は、撮像カメラ９Ｂによって取り込まれている。そこで画像作成部２９は、撮像カメラ９Ｂによって取り込まれた画像のうち、観者ｂがディスプレイ１を介してＢ面側に見ることができる景観の画像をディスプレイ１に出力する。図１４では、観者ｂの位置からは歩行者ｄは見えず歩行者ｃ周辺のみが見えるため、歩行者ｃ周辺のキャプチャー画像をディスプレイ１に出力する。ディスプレイ１は、取得したキャプチャー画像を動画像として等倍で隙間なく表示する。歩行者ｃは動画像ｃ’としてディスプレイ１に表示される。このとき、ディスプレイ１は多段スクリーン表示装置であるため観者ａには動画像ｃ’は見えない。
【００４５】
以上のように、この実施の形態６によれば、設置場所の壁３に取り付けられたディスプレイ１の両側を撮影可能な撮像カメラ９Ａ，９Ｂによりキャプチャーされた画像から、位置特定部３０が観者の位置を特定し、各観者の位置から見える反対側の画像をディスプレイ１に表示するようにしたので、特定された観者の位置からはディスプレイ１はあたかも壁にあいたガラス窓のように見え、ディスプレイ１があること、すなわち表示機器の存在をわからなくすることができる効果が得られる。また、多段スクリーン表示装置を用いることによってこの効果を複数の人に同時に与えることができる。
【００４６】
また、ディスプレイ１が設置場所に自立した状態で使用される場合も同様に、ディスプレイ１に現在のディスプレイ１の反対側を写した動画像を等倍で隙間なく表示することにより、あたかも透明なディスプレイ１になり、その存在をわからなくすることができるという効果が得られる。
【００４７】
実施の形態７．
図１５はこの発明の実施の形態７による表示装置の使用例について説明する図である。図において、図１と共通する要素には同一符号を付し、その説明を省略する。実施の形態１に示したように、制御装置２は設置環境の壁３を模擬した画像データを保持する。
【００４８】
制御装置２は、観者に提示したい映像信号、すなわちコンテンツを生成し、設置環境の壁３を模擬した画像データに合成してディスプレイ１に出力する。これにより、壁画像とコンテンツとがプロジェクタで映写されたように合成表示される。したがって、例えばディスプレイ１にＬＣＤ（Liquid Crystal Display）を使用した場合でも、壁３上にコンテンツを投射するプロジェクタを使用したような演出が可能である。
【００４９】
また、図１６はこの発明の実施の形態７による表示装置の別の使用例について説明する図である。この図では、例えば壁にペンキで文字を書いたように、壁画像上にコンテンツが上書きされたような表示をする。このとき、制御装置２は文字の色を壁の色とのコントラストがはっきりするように自動設定する。例えば、黄色の壁にディスプレイ１が設置された場合は壁画像を黄色、表示するコンテンツの色を青色で表示する。
【００５０】
以上のように、この実施の形態７によれば、制御装置２は、壁画像にコンテンツを合成して表示するようにしたので、観者がディスプレイ１の設置場所を意識することなく、設置場所の雰囲気を壊さない効果的な表示が可能になるという効果が得られる。
【図面の簡単な説明】
【００５１】
【図１】この発明の実施の形態１による表示装置の設置例を示す図である。
【図２】この発明の実施の形態２による表示装置の構成を示す図である。
【図３】同実施の形態２に係る制御装置のブロック図である。
【図４】この発明の実施の形態３に係る制御装置の動作について説明する図である。
【図５】この発明の実施の形態３に係る制御装置の動作について説明する図である。
【図６】この発明の実施の形態４による表示装置の設置例について説明する図である。
【図７】同実施の形態４に係る制御装置の構成を示すブロック図である。
【図８】同実施の形態４による表示装置の動作を示すフローチャートである。
【図９】この発明の実施の形態５による表示装置の設置例を示す図である。
【図１０】同実施の形態５に係る制御装置の構成を示すブロック図である。
【図１１】同実施の形態５による表示装置の動作を示すフローチャートである。
【図１２】この発明の実施の形態６による表示装置の設置例を示す図である。
【図１３】同実施の形態６に係る制御装置の構成を示すブロック図である。
【図１４】同実施の形態６による表示装置の設置例を具体的に説明する図である。
【図１５】この発明の実施の形態７による表示装置の使用例について説明する図である。
【図１６】この発明の実施の形態７による表示装置の別の使用例について説明する図である。
【符号の説明】
【００５２】
１  ディスプレイ、２  制御装置、３  設置場所の壁、４  照度計、５  入射角測定機構、６  光源、７，９，９Ａ，９Ｂ  撮像カメラ、８  電動雲台、２１  環境データ取得部、２２  画像データ保持部、２３  画像データ補正部、２４  キャリブレーション画像保持部、２５  キャリブレーション画像選択部、２６  撮像データ取り込み部、２７  マッチング部、２８  テクスチャー抽出部、２９  画像作成部、３０  位置特定部。
【図１】
2006189708.tif 000003
【図２】
2006189708.tif 000004
【図３】
2006189708.tif 000005
【図４】
2006189708.tif 000006
【図５】
2006189708.tif 000007
【図６】
2006189708.tif 000008
【図７】
2006189708.tif 000009
【図８】
2006189708.tif 000010
【図９】
2006189708.tif 000011
【図１０】
2006189708.tif 000012
【図１１】
2006189708.tif 000013
【図１２】
2006189708.tif 000014
【図１３】
2006189708.tif 000015
【図１４】
2006189708.tif 000016
【図１５】
2006189708.tif 000017
【図１６】
2006189708.tif 000018